(57)【特許請求の範囲】
【請求項１】
底部に潤滑油を溜める油溜を有した密閉容器内に、上下に圧縮部と電動機を配置し、同圧縮部を鏡板に渦捲き状のラップを立設させた固定スクロールと、同固定スクロールと互いにラップを噛み合わせて圧縮室を形成する旋回スクロールと、同旋回スクロールの自転を阻止して公転旋回運動させるオルダムリングと、前記旋回スクロールを摺動自在に支持するスラスト軸受を形成したメインフレームとから構成し、前記電動機の回転力を伝達し前記旋回スクロールを旋回運動するとともに、前記スラスト軸受などの摺動部に、前記油溜から潤滑油を供給する油送路を備えたシャフトとからなるスクロール圧縮機において、
前記旋回スクロールの背面中央部に背圧室を形成するとともに、前記メインフレームの下方に、一端が前記背圧室に接続され、前記摺動部を潤滑した排油の一部を溜める油溜通路を形成する一方、前記メインフレームに、上面開口部を前記固定スクロールの底面に臨ませ、下部を前記油溜通路に連通する油注入孔を設けるとともに、同油注入孔に、上端が前記固定スクロールの底面に固定されたピン状の絞り機構を設け、前記オルダムリングを収容するオルダム室と前記油注入孔とを連通する給油路を設け、前記摺動部を潤滑した排油の一部を前記オルダム室および前記圧縮室吸入部へ供給してなることを特徴とするスクロール圧縮機。
【請求項２】
前記油注入孔を、前記シャフトに平行に設けてなることを特徴とする請求項１記載のスクロール圧縮機。
【請求項３】
前記油注入孔を、前記圧縮室吸入部の近傍に設けてなることを特徴とする請求項１記載のスクロール圧縮機。
【請求項４】
前記ピン状の絞り機構の上部径を、その下方の径より細く形成し、ピン上部を前記固定スクロールに圧入により固着してなることを特徴とする請求項１記載のスクロール圧縮機。
【請求項５】
前記油溜通路を水平に形成してなることを特徴とする請求項１記載のスクロール圧縮機。
【請求項６】
前記メインフレームに、前記摺動部を潤滑した排油の一部を前記油溜に回収するための、水平路と垂直路とからなる排油通路を設け、同水平路を前記油溜通路より上方に設けてなることを特徴とする請求項１または５記載のスクロール圧縮機。
【請求項７】
前記旋回スクロールの鏡板に、前記オルダム室と前記圧縮室吸入部とを連通する連通孔を設けてなることを特徴とする請求項１記載のスクロール圧縮機。
【請求項８】
前記固定スクロールの底面に、少なくとも、同固定スクロール底面の前記ピン状の絞り機構の軸対象位置に、位置決めピンを設けるとともに、前記メインフレームに同位置決めピンに対応する透孔を設け、前記固定スクロールと前記メインフレームとの位置決めを行うようにしてなることを特徴とする請求項１記載のスクロール圧縮機。
【発明の詳細な説明】
【０００１】
【発明の属する技術分野】
本発明は、スクロール型圧縮機に係り、詳しくは摺動部を潤滑した潤滑油を油量調節して圧縮室へ供給するための給油経路の構造に関する。
【０００２】
【従来の技術】
従来の圧縮部を上部に配設したこの種の縦型スクロール圧縮機には、例えば図６に示すようなものがある。スクロール圧縮機は、密閉容器31と、同密閉容器31内を吐出室と駆動室33とに区画するフレーム34と、前記駆動室33内に配置され、前記フレーム34に回転可能に支持される駆動シャフト35を有するモーター36と、前記吐出室内に配置され、前記モーター36の駆動シャフト35に接続された回転スクロール37と、前記フレーム34に固定され、前記回転スクロール37と噛み合ってその間に圧縮室38を形成する固定スクロール39と、前記圧縮室38に冷媒を導入する吸入管40と、前記圧縮室38で圧縮された冷媒を前記吐出室に吐出するための吐出ポート41と、前記吐出室内の潤滑油ａを前記駆動室33に排出する回収用キャピラリーチューブ42と、前記駆動室33内に貯留された潤滑油ａを前記圧縮室38に供給する給油用キャピラリーチューブ43とから構成されている。
【０００３】
前記給油用キャピラリーチューブ43は、前記吸入管40の近傍に接続されている。また吐出ポート41から吐出される冷媒ガスに含まれた潤滑油ａは、潤滑油回収用キャピラリーチューブ42を通って密閉容器31の下部へドレインするように構成されている。
上記構成において、固定スクロール39と回転スクロール37との間の気密性を維持するために潤滑油ａを給油すると、それらの間の気密性が向上し、吐出ポート41から吐出される冷媒ガスの圧力が上昇される。この圧力上昇に伴って、相対的に吸入管41との圧力差が大きくなり、給油用キャピラリーチューブ43を介して潤滑油ａが圧縮室38の吸入部44へ給油される。
【０００４】
しかしながら、上記構成のような給油用キャピラリーチューブ43を圧縮機内部に内臓し、圧縮機下部の潤滑油ａを圧縮室38の吸入部44へ給油する方法の場合、圧縮機内にキャピラリーチューブ43を通すことは作業性が悪く、組立工数が増大しコスト的に不利となる。また、キャピラリーチューブ43を密閉容器31および他の部品と接触しないように、保護チューブ等で覆う必要があり、かつ運転時にキャピラリーチューブが振動しないように密閉容器31内部に固定しなければならず、構造が複雑になるという問題がある。
【０００５】
【発明が解決しようとする課題】
本発明は上記問題点に鑑みなされたもので、摺動部を潤滑した排油の一部を油量調節して圧縮室へ供給する場合、構造が簡単で、組立の作業性が良く、且つ圧縮部組立時のスクロールの位置決めが容易にできるスクロール圧縮機を提供することを目的としている。
【０００６】
【課題を解決するための手段】
本発明は上記の課題を解決するためなされたもので、底部に潤滑油を溜める油溜を有した密閉容器内に、上下に圧縮部と電動機を配置し、同圧縮部を鏡板に渦捲き状のラップを立設させた固定スクロールと、同固定スクロールと互いにラップを噛み合わせて圧縮室を形成する旋回スクロールと、同旋回スクロールの自転を阻止して公転旋回運動させるオルダムリングと、前記旋回スクロールを摺動自在に支持するスラスト軸受を形成したメインフレームとから構成し、前記電動機の回転力を伝達し前記旋回スクロールを旋回運動するとともに、前記スラスト軸受などの摺動部に、前記油溜から潤滑油を供給する油送路を備えたシャフトとからなるスクロール圧縮機において、
前記旋回スクロールの背面中央部に背圧室を形成するとともに、前記メインフレームの下方に、一端が前記背圧室に接続され、前記摺動部を潤滑した排油の一部を溜める油溜通路を形成する一方、前記メインフレームに、上面開口部を前記固定スクロールの底面に臨ませ、下部を前記油溜通路に連通する油注入孔を設けるとともに、同油注入孔に、上端が前記固定スクロールの底面に固定されたピン状の絞り機構を設け、前記オルダムリングを収容するオルダム室と前記油注入孔とを連通する給油路を設け、前記摺動部を潤滑した排油の一部を前記オルダム室および前記圧縮室吸入部へ供給する構成となっている。
【０００７】
また、前記油注入孔を、前記シャフトに平行に設けた構成となっている。
【０００８】
また、前記油注入孔を、前記圧縮室吸入部の近傍に設けた構成となっている。
【０００９】
また、前記ピン状の絞り機構の上部径を、その下方の径より細く形成し、ピン上部を前記固定スクロールに圧入により固着してなる構成となっている。
【００１０】
また、前記油溜通路を水平に形成した構成となっている。
【００１１】
また、前記メインフレームに、前記摺動部を潤滑した排油の一部を前記油溜に回収するための、水平路と垂直路とからなる排油通路を設け、同水平路を前記油溜通路より上方に設けた構成となっている。
【００１２】
また、前記旋回スクロールの鏡板に、前記オルダム室と前記圧縮室吸入部とを連通する連通孔を設けた構成となっている。
【００１３】
また、前記固定スクロール底面に、少なくとも、同固定スクロール底面の前記ピン状の絞り機構の軸対象位置に、位置決めピンを設けるとともに、前記メインフレームに同位置決めピンに対応する透孔を設け、前記固定スクロールと前記メインフレームとの位置決めを行うようにした構成となっている。
【００１４】
【発明の実施の形態】
以下、本発明の実施の形態を図面に基づいた実施例として詳細に説明する。
図１は本発明のスクロール圧縮機の概略を示す縦断面図で、図２はその要部拡大断面図で、図３は図２のＡ部拡大断面図である。
スクロール圧縮機は、密閉容器１内に上下に圧縮部２と電動機３を配置し、同圧縮部２を、鏡板4aの内面に渦捲き状のラップ4bを立設させた固定スクロール４と、同固定スクロール４と互いに噛み合わせ圧縮室６を形成する、鏡板5aに渦捲き状のラップ5bを有し、背面に旋回軸受5cを備えた旋回スクロール５と、同旋回スクロール５の自転を阻止して公転旋回運動させるオルダムリング７と、先端に前記旋回軸受5cに嵌入する旋回軸9bを備え、前記電動機３の回転力を伝達し前記旋回スクロール５を旋回運動するとともに、中心部にスラスト軸受などの摺動部に潤滑油を供給する油送路８を備えたシャフト９と、同シャフト９の一端に形成した主軸9aを支承する軸受10a を有するとともに、前記両スクロール４、５を支持するメインフレーム10とから構成している。
【００１５】
前記シャフト９の上端から下端まで貫通する前記油送路８を通して各摺動部に潤滑油12a を供給するオイルポンプ11と、前記密閉容器１底部の油溜から潤滑油12a を吸入し、前記オイルポンプ11に導く給油管13とで構成されている。
前記圧縮部２に接続された吸込管14を通して低圧ガスが圧縮部２に吸入され、圧縮された圧縮ガスは吐出室15を経由し吐出管16より外部に吐出される。
【００１６】
前記旋回スクロール５の背面中央部に背圧室17を形成するとともに、前記メインフレーム10の下方に、一端が前記背圧室17に接続され、前記摺動部を潤滑した排油の一部を溜める油溜通路18を形成する一方、前記メインフレーム10に、上面開口部を前記固定スクロール４の底面に臨ませ、下部を前記油溜通路18に連通する油注入孔19を設けるとともに、同油注入孔19に、上端が前記固定スクロール４の底面に固定された円筒ピン状の絞り機構20を設け、前記オルダムリング７を収容するオルダム室7aと前記油注入孔19とを連通する給油路21を設け、前記摺動部を潤滑した排油の一部を前記オルダム室7aおよび前記圧縮室６の吸入部6aへ供給する構成となっている。
【００１７】
前記油注入孔19を、前記シャフト９に平行に設けるとともに、前記圧縮室６の吸入部6aの近傍に設けた構成となっている。
また、図３に示すように、前記円筒ピン状の絞り機構20の上部径D1を、その下方の径D2より細く形成するとともに、ピンと前記油注入孔19との間に隙間D3を設け、ピン上部を前記固定スクロール４に圧入により固着した構成とすることにより、前記圧縮室６の吸入部6aに潤滑油12a の流量を適量に調節して供給されるとともに、油吸引がより確実に行われる。
【００１８】
また、前記油溜通路18を水平に形成するとともに、前記メインフレーム10に、前記摺動部を潤滑した排油の一部を前記油溜12に回収するための、水平路22a と垂直路22b とからなる排油通路22を設け、同水平路22a を前記油溜通路18より上方に設けた構成とすることにより、摺動部を潤滑した排油の一部を前記油溜通路18に常に一定量確保することができる。
【００１９】
また、図４に示すように、前記固定スクロール４の底面に、少なくとも、同固定スクロール４の底面の前記ピン状の絞り機構20の軸対象位置に、位置決めピン20a を設けるとともに、前記メインフレーム10に同位置決めピン20a に対応する透孔19a を設け、前記固定スクロール４と前記メインフレーム10との位置決めを行うようにした構成とすることにより、スクロールの組立作業が容易となり、加工工数の低減が図れる。
尚、図５に示すように、前記旋回スクロール５の鏡板5aに、前記オルダム室7aと前記圧縮室６の吸入部6aとを連通する連通孔23を設けた構成としてもよい。
【００２０】
上記構成おいて、前記メインフレーム10の下方に、一端が背圧室17に接続され、摺動部を潤滑した排油の一部を溜める油溜通路18を形成する一方、前記メインフレーム10に、上面開口部を前記固定スクロール４の底面に臨ませ、下部を前記油溜通路18に連通する油注入孔19を設けるとともに、同油注入孔19に、上端が前記固定スクロール４の底面に固定された円筒ピン状の絞り機構20を設け、前記オルダムリング７を収容するオルダム室7aと前記油注入孔19とを連通する給油路21を設け、前記摺動部を潤滑した排油の一部を油量を調節して、前記オルダム室7aおよび圧縮室６の吸入部6aへ供給する構成とすることにより、構造が簡単で、組立の作業性が良く、且つ圧縮部組立時のスクロールの位置決めが容易にできるスクロール圧縮機となる。
【００２１】
【発明の効果】
以上のように本発明においては、摺動部を潤滑した排油の一部を油量を調節して、前記オルダム室および圧縮室の吸入部へ供給する場合、構造が簡単で、組立の作業性が良く、且つ圧縮部組立時のスクロールの位置決めが容易にできるスクロール圧縮機となる。
【図面の簡単な説明】
【図１】本発明の実施例を示すスクロール圧縮機の横断面図である。
【図２】本発明の実施例を示す要部拡大断面図である。
【図３】本発明の実施例を示す図２のＡ部の拡大断面図である。
【図４】本発明の他の実施例を示す要部斜視図である。
【図５】本発明の更に他の実施例を示す要部斜視図である。
【図６】従来例を示すスクロールの横断面図である。
【符号の説明】
１  密閉容器
２  圧縮部
３  電動機
４  固定スクロール
4a  鏡板
4b  ラップ
５  旋回スクロール
5a  鏡板
5b  ラップ
5c  旋回軸受
６  圧縮室
７  オルダムリング
7a  オルダム室
８  油送路
９  シャフト
9a  主軸
9b  旋回軸
10  メインフレーム
10a   主軸受
11  オイルポンプ
12  油溜
12a   潤滑油
13  給油管
14  吸入管
15  吐出室
16  吐出管
17  背圧室
18  油溜通路
19  油注入孔
20  絞り機構（ピン）
21  給油路
22  排油通路
23  連通路
【図１】
0004415513.tif 000002
【図２】
0004415513.tif 000003
【図３】
0004415513.tif 000004
【図４】
0004415513.tif 000005
【図５】
0004415513.tif 000006
【図６】
0004415513.tif 000007